(57)【要約】      （修正有）【課題】ディスプレイ装置の基板の側面部分を外部から保護することができるディスプレイ装置を提供する。【解決手段】ディスプレイ装置は、段差部ＤＰを有するベース基板１１０、ベース基板上に設けられたバッファ層１２０、バッファ層上に設けられた画素アレイ層１３０、画素アレイ層上に設けられた封止基板１５０、封止基板の側面を覆うカバー膜１６０を含み、バッファ層は、ベース基板の段差部を覆う。【選択図】図２
2019105839.tif 000002
【特許請求の範囲】
【請求項１】
段差部を有するベース基板、
前記ベース基板上に設けられたバッファ層、
前記バッファ層上に設けられた画素アレイ層、
前記画素アレイ層上に設けられた封止基板、および
前記封止基板の側面を覆うカバー膜を含み、
前記バッファ層が、前記ベース基板の段差部を覆う、ディスプレイ装置。
【請求項２】
前記ベース基板が、
第１基板、
前記第１基板上に設けられた放熱層、および
前記放熱層上に設けられた第２基板を含む、請求項１に記載のディスプレイ装置。
【請求項３】
前記第１基板の面積が、前記第２基板の面積及び前記放熱層の面積よりも大きい、請求項２に記載のディスプレイ装置。
【請求項４】
前記バッファ層が、前記第２基板の側面及び前記放熱層の側面を覆う、請求項３に記載のディスプレイ装置。
【請求項５】
前記カバー膜が、前記バッファ層の側面を覆う、請求項４に記載のディスプレイ装置。
【請求項６】
前記バッファ層の一側端部上に設けられたデータパッド部をさらに含み、
前記カバー膜が前記データパッド部の側面と接触する、請求項４に記載のディスプレイ装置。
【請求項７】
前記カバー膜が、
前記データパッド部に設けられた前記バッファ層の一側端部を除いた残りの端部を覆う第１カバー部と、
前記データパッド部の一側面と接触する第２カバー部、および
前記データパッド部の他側面と接触する第３カバー部を含む、請求項６に記載のディスプレイ装置。
【請求項８】
前記第１カバー部が、前記封止基板の側面及び前記バッファ層の側面を覆う、請求項７に記載のディスプレイ装置。
【請求項９】
前記第２カバー部が、前記封止基板の側面を覆い、前記第３カバー部は、前記バッファ層の側面を覆う、請求項７または８に記載のディスプレイ装置。
【請求項１０】
ローラー、および
前記ローラーに巻かれ、請求項１から９のいずれか一項に記載のディスプレイ装置を備えた、ローラブルディスプレイシステム。
【請求項１１】
前記ローラーの長さ方向と平行でないディスプレイ装置の側部にゲート駆動部が設けられている、請求項１０に記載のローラブルディスプレイシステム。
【請求項１２】
第１基板及び第２基板を含むベース基板であって、前記第２基板が、前記第１基板よりも短く、前記第１基板の端に向かって延びている、ベース基板、
前記第２基板の上部表面上に設けられ、前記第２基板の側面を覆うバッファ層、
前記バッファ層上に設けられた画素アレイ層、および
前記画素アレイ層上に設けられた封止基板を含む、ディスプレイ装置。
【請求項１３】
前記封止基板と前記バッファ層の側面を覆うカバー膜をさらに含む、請求項１２に記載のディスプレイ装置。
【請求項１４】
前記バッファ層が、前記第１基板の前記端に向かって延びている前記第２基板を過ぎて、前記第１基板の前記端に向かって延びている、請求項１３に記載のディスプレイ装置。
【請求項１５】
前記ベース基板が、前記第１基板と前記第２基板の間に設けられた放熱層をさらに含む、請求項１３に記載のディスプレイ装置。
【請求項１６】
前記バッファ層が、前記第２基板の前記側面と前記放熱層の側面を覆う、請求項１５に記載のディスプレイ装置。
【請求項１７】
前記バッファ層の一側端部上に設けられたデータパッド部をさらに含み、
前記カバー膜が前記データパッド部の側面と接触する、請求項１３に記載のディスプレイ装置。
【請求項１８】
前記カバー膜が、
前記データパッド部が設けられた前記バッファ層の一側端部を除いた残りの端部を覆い、前記封止基板及び前記バッファ層の前記側面を覆う第１カバー部と、
前記データパッド部の一側面と接触して、前記封止基板の前記側面を覆う第２カバー部、および
前記データパッド部の他側面と接触して、前記バッファ層の前記側面を覆う第３カバー部を含む、請求項１７に記載のディスプレイ装置。
【請求項１９】
ローラー、および
前記ローラーに巻かれる、請求項１２から１８のいずれか一項に記載のディスプレイ装置を備えた、ローラブルディスプレイシステム。
【請求項２０】
前記ローラーの長さ方向と平行でないディスプレイ装置の側部にゲート駆動部をさらに含む、請求項１９に記載のローラブルディスプレイシステム。
【発明の詳細な説明】
【技術分野】
【０００１】
本出願は、ディスプレイ装置に関するものである。
【背景技術】
【０００２】
情報化社会が発展するにつれて、映像を表示するための表示装置への要求が様々な形で高まっている。最近になって、よりスリム化されたディスプレイ装置が発売されていて、その中でもフレキシブルディスプレイ装置、さらには丸めることができるローラブル（Ｒｏｌｌａｂｌｅ）ディスプレイ装置が製造されている。
【０００３】
ローラブルディスプレイ装置は、ロール状に巻いたり、ロールから再び巻きを解く動作を繰り返し行う必要があるため側面に別途の保護ケースを設けることが難しく、ローラブルディスプレイ装置から基板の側面が外部にそのまま露出するため、クラック発生および水分透湿による問題が発生し得る。
【０００４】
以上、説明した背景技術の内容は、本出願の発明者が本出願の導出のために保有していたか、または本出願の導出過程で習得した技術情報であって、必ずしも本出願の出願前に一般公衆に公開された公知技術とすることはできない。
【発明の概要】
【発明が解決しようとする課題】
【０００５】
本出願は、ディスプレイ装置の基板の側面部分を外部から保護することができるディスプレイ装置を提供することを技術的課題とする。
【課題を解決するための手段】
【０００６】
本出願によるディスプレイ装置は、段差部を有するベース基板、ベース基板上に設けられたバッファ層、バッファ層上に設けられた画素アレイ層、画素アレイ層上に設けられた封止基板、封止基板の側面を覆うカバー膜を含み、バッファ層はベース基板の段差部を覆う。
【発明の効果】
【０００７】
本出願によるディスプレイ装置は、前面からの水分透湿の防止機能を強化し、前面の剛性特性を向上させることができる効果がある。
【０００８】
本出願によるディスプレイ装置は、サイドからの透湿による不良の発生を減少させ、サイドの剛性特性を向上させることができる効果がある。
【０００９】
上述した本出願の効果に加えて、本出願の他の特徴および利点は、以下の記述および、そのような記述および説明から、本出願が属する技術分野で通常の知識を有する者に明確に理解されるであろう。
【図面の簡単な説明】
【００１０】
【図１】本出願の実施例に係るディスプレイ装置を示す平面図である。
【図２】図１の線Ｉ−Ｉ’による断面図である。
【図３】図１の線ＩＩ−ＩＩ’による断面図である。
【図４】本出願の実施例に係るローラブルディスプレイシステムの概略図である。
【発明を実施するための形態】
【００１１】
本出願の利点および特徴、そしてそれらを達成する方法は、添付の図と共に詳細に後述する実施例を参照すると明確になるだろう。しかし、本発明は、以下で開示する実施例に限定されるものではなく、互いに異なる多様な形態で具現されるものであり、単に本実施例は、本発明の開示を完全にし、本発明が属する技術分野で通常の知識を有する者に発明の範疇を完全に知らせるために提供されるものであり、本発明は、請求項の範疇によってのみ定義される。
【００１２】
本発明の実施例を説明するために図で開示した形状、大きさ、比率、角度、数などは例示的なものなので、本発明は、図に示した事項に限定されるものではない。明細書全体にわたって同一参照符号は同一の構成要素を指すことができる。また、本発明を説明するにおいて、関連する公知技術に対する詳細な説明が本発明の要旨を不必要に曖昧にすると判断される場合、その詳細な説明は省略する。
【００１３】
本明細書で言及した「含む」、「有する」、「からなる」などが使用されている場合は、「〜だけ」が使用されていない限り、他の部分が追加され得る。構成要素を単数で表現する場合に、特に明示的な記載事項がない限り、複数が含まれる場合を含む。
【００１４】
構成要素を解釈するに当たり、別途の明示的な記載がなくても誤差の範囲を含むものと解釈する。
【００１５】
位置関係の説明である場合には、例えば、「〜上に」、「〜の上部に」、「〜の下部に」、「〜の隣に」など２つの部分の位置関係が説明されている場合は、「すぐに」または「直接」が使用されていない以上、二つの部分の間に１つ以上の他の部分が位置することもできる。
【００１６】
時間の関係に対する説明である場合には、例えば、「〜の後」、「〜に続いて」、「〜次に」、「〜前に」などで時間的前後関係が説明されている場合は、「すぐに」または「直接」が使用されていない以上、連続していない場合も含むことができる。
【００１７】
第１、第２などが多様な構成要素を記述するために使用されるが、このような構成要素はこのような用語によって制限されない。このような用語は、ただ一つの構成要素を他の構成要素と区別するために使用されるものである。したがって、以下に記載されている第１構成要素は、本発明の技術的思想内で第２構成要素であることもある。
【００１８】
「第１水平軸方向」、「第２水平軸方向」および「垂直軸方向」は、  互いの関係が垂直からなる幾何学的な関係だけで解釈されてはならず、本発明の構成は、機能的に作用することができる範囲内より広い方向性を有することを意味することができる。
【００１９】
「少なくとも一つ」の用語は、一つ以上の関連項目から提示可能なすべての組み合わせを含むものと理解されなければならない。たとえば、「第１項目、第２項目及び第３項目のうち少なくとも一つ」の意味は、第１項目、第２項目または第３項目のそれぞれのみならず、第１項目、第２項目及び第３項目の中で２つ以上から提示することができるすべての項目の組み合わせを意味する。
【００２０】
本発明のいくつかの例のそれぞれの特徴が部分的または全体的に互いに結合または組み合わせ可能で、技術的に様々な連動および駆動が可能であり、各実施例が互いに独立して実施可能であり、連関した関係で一緒に実施することもできる。
【００２１】
以下では、本出願によるディスプレイ装置の好ましい例を添付の図を参照して詳細に説明する。各図の構成要素に参照符号を付加するにおいて、同一の構成要素に対して、たとえ他の図面上に表示されていても、可能な限り同一の符号を有することができる。
【００２２】
図１は、本出願の実施例に係るディスプレイ装置を示す平面図である。図１において、Ｘ軸はゲートラインと平行な方向を示し、Ｙ軸はデータラインと平行な方向を示し、Ｚ軸はディスプレイ装置の高さ方向を示す。
【００２３】
図１を参照すると、本出願の実施例に係るディスプレイ装置は、ベース基板１１０、ゲート駆動部２００、データパッド部３００、ソースドライブ集積回路４１０、軟性フィルム４３０、回路基板４５０、およびタイミング制御部５００を含む。
【００２４】
前記ベース基板１１０は、フレキシブル基板であり、例えば、透明ポリイミド（ｐｏｌｙｉｍｉｄｅ）材質を含むことができる。ポリイミド材質のベース基板１１０は、キャリアガラス基板に設けられているリリース層の前面に一定の厚さでコーティングされたポリイミド樹脂が硬化したものであり得る。キャリアガラス基板は、レーザーリリース工程を用いたリリース層のリリースにより、ベース基板１１０から分離される。ベース基板１１０の一面上にはゲートライン、データラインおよび画素を形成する。画素は、複数のサブ画素を含み、複数のサブ画素は、ゲートラインとデータラインの交差領域に形成される。
【００２５】
一例によるベース基板１１０は、表示領域（ＤＡ）、および非表示領域（ＮＤＡ）を含むことができる。
【００２６】
前記表示領域（ＤＡ）は、映像が表示される領域であって、ベース基板１１０の中央部分に定義することができる。表示領域（ＤＡ）には、ゲートライン、データライン、及び画素を形成することができる。
【００２７】
前記非表示領域（ＮＤＡ）は、映像が表示されない領域であって、表示領域（ＤＡ）を囲むようにベース基板１１０の端部に定義することができる。非表示領域（ＮＤＡ）には、ゲート駆動部２００とデータパッド部３００を形成することができる。
【００２８】
前記ゲート駆動部２００は、タイミング制御部５００から入力するゲート制御信号によってゲートラインにゲート信号を供給する。ゲート駆動部２００は、ベース基板１１０の表示領域（ＤＡ）の一側外側の非表示領域（ＮＤＡ）にＧＩＰ（ｇａｔｅ  ｄｒｉｖｅｒ  ｉｎ  ｐａｎｅｌ）方式で形成することができる。
【００２９】
前記データパッド部３００は、タイミング制御部５００から入力するデータ制御信号によって、データラインにデータ信号を供給する。データパッド部３００は、駆動チップとして製作して軟性フィルム４３０に実装してＴＡＢ（ｔａｐｅ  ａｕｔｏｍａｔｅｄ  ｂｏｎｄｉｎｇ）方式でベース基板１１０の表示領域（ＤＡ）の一側外側の非表示領域（ＮＤＡ）に付着することができる。
【００３０】
前記ソースドライブ集積回路４１０は、タイミング制御部５００からデジタルビデオデータとソース制御信号を入力する。ソースドライブ集積回路４１０は、ソース制御信号によって、デジタルビデオデータをアナログデータ電圧に変換してデータラインに供給する。ソースドライブ集積回路４１０が駆動チップとして製作される場合には、ＣＯＦ（ｃｈｉｐ  ｏｎ  ｆｉｌｍ）またはＣＯＰ（ｃｈｉｐ  ｏｎ  ｐｌａｓｔｉｃ）方式で軟性フィルム４３０に実装することができる。
【００３１】
前記軟性フィルム４３０には、データパッド部３００をソースドライブ集積回路４１０に接続する配線と、データパッド部３００を回路基板４５０に接続する配線を形成することができる。軟性フィルム４３０は、異方性導電フィルム（ａｎｔｉｓｏｔｒｏｐｉｃ  ｃｏｎｄｕｃｔｉｎｇ  ｆｉｌｍ）を用いてデータパッド部３００上に付着され、これにより、データパッド部３００が軟性フィルム４３０の配線に接続し得る。
【００３２】
前記回路基板４５０は、軟性フィルム４３０に付着することができる。駆動チップとして具現された多数の回路を、回路基板４５０に実装することができる。例えば、回路基板４５０には、タイミング制御部５００を実装することができる。回路基板４５０は、プリント回路基板（ｐｒｉｎｔｅｄ  ｃｉｒｃｕｉｔ  ｂｏａｒｄ）またはフレキシブルプリント回路基板（ｆｌｅｘｉｂｌｅ  ｐｒｉｎｔｅｄ  ｃｉｒｃｕｉｔ  ｂｏａｒｄ）であり得る。
【００３３】
前記タイミング制御部５００は、回路基板４５０のケーブルを介して外部のシステムボードからデジタルビデオデータとタイミング信号を受信する。タイミング制御部５００は、タイミング信号によって、ゲート駆動部２００の動作タイミングを制御するためのゲート制御信号とソースドライブ集積回路４１０を制御するためのソース制御信号を発生する。タイミング制御部５００は、ゲート制御信号をゲート駆動部２００に供給し、ソース制御信号をソースドライブ集積回路４１０に供給する。
【００３４】
図２は、図１の線Ｉ−Ｉ’による断面図であり、図３は、図１の線ＩＩ−ＩＩ’による断面図である。以下、図１と重複した構成に対する重複説明は省略する。
【００３５】
図２及び図３を参照すると、本出願の実施例に係るディスプレイ装置は、ベース基板１１０、バッファ層１２０、画素アレイ層１３０、封止基板１５０、カバー膜１６０を含む。
【００３６】
前記ベース基板１１０は、フレキシブル基板であり、例えば、ベース基板１１０は、透明ポリイミド（ｐｏｌｙｉｍｉｄｅ）材質を含むことができる。ベース基板１１０は、第１基板１１１、放熱層１１２、第２基板１１３を含む。
【００３７】
前記第１基板１１１は、フレキシブル基板であり、透明ポリイミド（ｐｏｌｙｉｍｉｄｅ）材質からなり得る。
【００３８】
前記放熱層１１２は、第１基板１１１上に設けられる。放熱層１１２は、画素アレイ層１３０で発生する熱を外部に放出するために熱伝導率が高い物質で形成することができる。例えば、放熱層１１２は、アルミニウム酸化膜（ＡｌＯｘ）、チタン酸化膜（ＴｉＯｘ）のいずれか一つの無機膜で形成することができる。
【００３９】
前記第２基板１１３は、放熱層１１２上に設けられる。第２基板１１３は、フレキシブル基板であり、透明ポリイミド（ｐｏｌｙｉｍｉｄｅ）材質からなり得る。
【００４０】
一例による第１基板１１１は、放熱層１１２及び第２基板１１３に比べて大きな面積を有するように形成することができる。つまり、一例によるベース基板１１０は、段差部（ＤＰ）を有する２重基板構造で形成することができる。例えば、第１基板１１１の端部を除いた中心部の上に放熱層１１２を形成し、放熱層１１２上に放熱層１１２と重畳するよう第２基板１１３を形成することができる。ここで、第１基板１１１の端部は放熱層１１２及び第２基板１１３が形成されない部分であるため、第１基板１１１の端部と中心部の間の境界で段差が生じ得る。ここで、段差が生じる部分を段差部（ＤＰ）と定義する。
【００４１】
前記バッファ層１２０は、ベース基板１１０上に設けられる。例えば、バッファ層１２０は、第２基板１１３上に設けることができる。バッファ層１２０は、ベース基板１１０を介して画素アレイ層１３０に浸透する水分を遮断するために、第２基板１１３の上面全体に形成する。一例によるバッファ層１２０は、交互に積層した複数の無機膜からなり得る。例えば、バッファ層１２０は、シリコン酸化膜（ＳｉＯｘ）、シリコン窒化膜（ＳｉＮｘ）、およびシリコン酸窒化膜（ＳｉＯＮ）中の一つ以上の無機膜が交互に積層した多重膜で形成することができる。
【００４２】
一例によるバッファ層１２０は、段差部（ＤＰ）を覆うように設けることができる。例えば、バッファ層１２０は、第２基板１１３上に設けて、第２基板１１３の上面および第２基板１１３と放熱層１１２の側面を覆うことができる。バッファ層１２０は、第２基板１１３の側面を覆うように形成されるので、バッファ層１２０と第２基板１１３の側面先端からクラックが発生してクラックが伝播され、界面分離が発生することを防止することができる。
【００４３】
前記画素アレイ層１３０は、ベース基板１１０の表示領域（ＤＡ）上に配置される。つまり、画素アレイ層１３０は、ベース基板１１０に定義された表示領域（ＤＡ）と重畳するバッファ層１２０上に設けられる。
【００４４】
前記画素アレイ層１３０は、スキャンライン、データライン、駆動電源ライン、画素駆動回路、及び発光素子層を含むことができる。
【００４５】
前記スキャンラインは、ベース基板１１０の第１長さ方向（Ｘ）と平行に配置され、ベース基板１１０の第２長さ方向（Ｙ）に沿って互いに離隔し得る。
【００４６】
前記データラインは、ベース基板１１０の第２長さ方向（Ｙ）と平行に配置され、ベース基板１１０の第１長さ方向（Ｘ）に沿って互いに離隔し得る。
【００４７】
前記駆動電源ラインは、データラインと平行に配置される。
【００４８】
前記画素駆動回路は、スキャンラインとデータラインの交差によって定義される画素領域に設けられるもので、少なくとも２つの薄膜トランジスタおよび少なくとも一つのコンデンサを含むことができる。このような画素駆動回路は、隣接したスキャンラインから供給されるスキャン信号、隣接した駆動電源ラインから供給される駆動電源、およびデータラインから供給されるデータ信号によって発光素子層を発光させる。
【００４９】
前記発光素子層は、該当画素の画素駆動回路から供給されるデータ信号によって発光する。発光素子層から放出される光は、ベース基板１１０を通過して外部に放出される。このような発光素子層は、該当画素の画素駆動回路に接続した第１電極、第１電極上に形成された発光層、および発光層上に形成された第２電極を含むことができる。
【００５０】
第１電極は、画素に個別にパターニングされたアノード電極であり得る。第１電極は、光を透過させることができるＩＴＯ、ＩＺＯのような透明な金属物質で形成される。
【００５１】
一例による発光層は、画素に設定された色相に対応する光を放出する赤色発光層、緑色発光層、及び青色発光層を含むことができる。
【００５２】
他の例による発光層は、画素に共通して形成される共通層であり得、この場合、製造工程を単純化することができる。発光層は、有機発光層、無機発光層、及び量子ドット発光層のいずれか一つを含むかまたは、有機発光層（または無機発光層）と量子ドット発光層の積層または混合構造を含むことができる。このような発光層は、白色光を放出するための２以上の発光部を含む。例えば、発光層は、第１光と第２光の混合により白色光を放出するための第１発光部と第２発光部を含むことができる。ここで、第１発光部は、第１光を放出するもので、青色発光部、緑色発光部、赤色発光部、黄色発光部、および黄緑色発光部の中のいずれか一つを含むことができる。第２発光部は、青色発光部、緑色発光部、赤色発光部、黄色発光部、及び黄緑色発光部の中で第１光と補色関係を有する光を放出する発光部を含むことができる。
【００５３】
第２電極は、カソード電極として画素に共通して形成される共通層であり得る。第２電極は、反射率の高い金属物質を含むことができる。例えば、第２電極は、アルミニウム（Ａｌ）とチタン（Ｔｉ）の積層構造（Ｔｉ／Ａｌ／Ｔｉ）、アルミニウム（Ａｌ）とＩＴＯの積層構造（ＩＴＯ／Ａｌ／ＩＴＯ）、ＡＰＣ（Ａｇ／Ｐｄ／Ｃｕ）合金、およびＡＰＣ合金とＩＴＯの積層構造（ＩＴＯ／ＡＰＣ／ＩＴＯ）のような多重層構造で形成したり、銀（Ａｇ）、アルミニウム（Ａｌ）、モリブデン（Ｍｏ）、金（Ａｕ）、マグネシウム（Ｍｇ）、カルシウム（Ｃａ）、またはバリウム（Ｂａ）の中から選択されたいずれか一つの物質または２以上の合金物質からなる単一層構造を含むことができる。
【００５４】
前記封止基板１５０は、画素アレイ層１３０上に配置されるもので、画素アレイ層１３０に隣接し、第１面、及び第１面とは反対の第２面とを有する。封止基板１５０の第１面は、画素アレイ層１３０に付着する。このような封止基板１５０は、酸素または水分が発光素子層に浸透することを一次的に遮断する役割をする。
【００５５】
一例による封止基板１５０は、不透明なメタル材質からなるメタルホイル、メタルシート、またはメタルプレートであり得る。例えば、封止基板１５０は、熱膨張係数が低い鉄（Ｆｅ）とニッケル（Ｎｉ）の合金材質からなり得るが、これに限定されない。
【００５６】
このような封止基板１５０の第１面は、接着層１４０を介して画素アレイ層１３０に付着する。このような接着層１４０は、熱硬化型または自然硬化型の接着剤であり得る。例えば、接着層１４０は、減圧接着剤または吸湿機能を有するバリア減圧接着剤のような物質からなり得る。
【００５７】
前記カバー膜１６０は、封止基板１５０の側面を覆うようにベース基板１１０の非表示領域（ＮＤＡ）上に設けられる。このようなカバー膜１６０は、ポリマー物質を含むものでウレタンまたはアクリルからなり得る。一例によるカバー膜１６０は、ベース基板１１０の表示領域（ＤＡ）と接する非表示領域（ＮＤＡ）で接着層１４０よりも厚く設けて接着層１４０を介して外部からの水分透湿を防止することができる。
【００５８】
一例によるカバー膜１６０は、バッファ層１２０の側面を覆うように設けることができる。本出願によるディスプレイ装置は、バッファ層１２０がベース基板１１０とともに平行に延長されて外部に露出せず、バッファ層１２０がベース基板１１０の段差部（ＤＰ）を覆うように形成されている。カバー膜１６０は、バッファ層１２０の側面を覆うように設けられ、バッファ層１２０が外部に露出することを防止し、バッファ層１２０とベース基板１１０との間の境界部が外部に露出してクラックが発生し、界面分離が起こることを防止することができる。
【００５９】
一例によるカバー膜１６０は、キャリアガラス基板がレーザーリリース工程を用いたリリース層のリリースによってベース基板１１０から分離される過程で、ベース基板１１０が丸まる現象を防止するために設けられる。詳細には、ベース基板１１０の非表示領域（ＮＤＡ）は、封止基板１５０が設けられず、フレキシブルで薄い厚さを有するベース基板１１０が巻き込まれる現象が発生する。このようなカバー膜１６０は、ベース基板１１０の非表示領域（ＮＤＡ）に設けられ、ベース基板１１０が丸まる現象を防止することができる。
【００６０】
図３を参照すると、一例に係るカバー膜１６０は、第１カバー部１６０ａ、第２カバー部１６０ｂ、第３カバー部１６０ｃを含む。
【００６１】
前記第１カバー部１６０ａは、データパッド部３００が設けられたバッファ層１３０の一側端部を除いた残りの端部を覆うように設けられる。すなわち、第１カバー部１６０ａは、非表示領域（ＮＤＡ）からデータパッド部３００が形成された領域を除いた残りの領域に設けられる。たとえば、データパッド部３００は、非表示領域（ＮＤＡ）の中で下側端部に設けられ、第１カバー部１６０ａは、非表示領域（ＮＤＡ）の中で上側、左側、右側の端部に設けることができる。
【００６２】
一例による第１カバー部１６０ａは、バッファ層１２０の側面および封止基板１５０の側面を覆うように設けることができる。第１カバー部１６０ａは、封止基板１５０の側面を覆うようにベース基板１１０の非表示領域（ＮＤＡ）上に設けて接着層１４０を介して外部からの水分透湿を防止することができる。また、第１カバー部１６０ａは、バッファ層１２０の側面を覆うように設けられてバッファ層１２０が外部に露出することを防止し、バッファ層１２０とベース基板１１０の間の境界部が外部に露出してクラックが発生し、界面分離が起こることを防止することができる。
【００６３】
前記第２カバー部１６０ｂは、バッファ層１２０上に設けられ、データパッド部３００の左側面と接触することができる。第２カバー部１６０ｂは、データパッド部３００の左側面を覆うように設けられ、データパッド部３００を外部から保護することができる。一例による第２カバー部１６０ｂは、封止基板１５０の側面を覆うように設けることができる。第２カバー部１６０ｂは、封止基板１５０の側面を覆うようにベース基板１１０の非表示領域（ＮＤＡ）上に設けて接着層１４０を介した外部からの水分透湿を防止することができる。
【００６４】
前記第３カバー部１６０ｃは、データパッド部３００の右側面と接触するように設けられる。前記第３カバー部１６０ｃは、データパッド部３００の右側面が外部に露出しないように側面を覆うことができる。一例による第３カバー部１６０ｃは、バッファ層１２０の側面を覆うように設けることができる。第３カバー部１６０ｃは、バッファ層１２０の側面を覆うように設けられ、バッファ層１２０が外部に露出することを防止し、バッファ層１２０とベース基板１１０の間の境界部が外部に露出してクラックが発生し、界面分離が起こることを防止することができる。
【００６５】
このように、データパッド部３００が形成されない領域では、第１カバー部１６０ａがバッファ層１２０と封止基板１５０の側面を覆うように形成されるので、外部から発光素子への水分透湿などを防止することができる。また、データパッド部３００が形成される領域では、封止基板１５０の側面を覆う第２カバー部１６０ｂ、バッファ層１２０の側面を覆う第３カバー部１６０ｃのそれぞれに分けて形成して外部から発光素子への水分透湿などを防止することができる。
【００６６】
このように、本出願によるディスプレイ装置は、２重基板構造を有するベース基板１１０を具備して前面の水分透湿防止機能を強化し、前面の剛性特性を増加させることができる。そして、ベース基板１１０の段差部（ＤＰ）を覆うバッファ層１２０とバッファ層１２０の側面を覆うカバー膜１６０を具備して側面の剛性特性を増加させ、側面方向の透湿（サイド透湿）によるクラック発生などの不良発生を減少させることができる。
【００６７】
図４は、本出願の実施例に係るローラブルディスプレイシステムの概略図である。
【００６８】
図４を参照すると、本出願の実施例に係るローラブルディスプレイシステムは、ローラー６００およびローラー６００に巻くことができように備えられたディスプレイ装置１００を含む。
【００６９】
前記ディスプレイ装置１００は、前述した本出願によるディスプレイ装置からなるので、これに対する重複説明は省略する。
【００７０】
前記ローラー６００は、別途の駆動装置によって駆動し、ディスプレイ装置１００を巻いたり、または巻きを戻したりできるように設けられる。したがって画像を見ない場合には、ローラー６００によってディスプレイ装置１００を巻かれた状態に維持して、画像を視聴する場合には、ローラー６００によってディスプレイ装置１００の巻きを解く。
【００７１】
このように、ローラブルディスプレイシステムを構成するために、ディスプレイ装置１００に備えられる回路駆動部の位置を適切に調整する必要がある。詳細には、ディスプレイ装置１００においてデータパッド部３００は、軟性フィルム４３０を介して回路基板４５０と接続しているので、ローラー６００によって巻くことが容易ではない。したがって、図に示したように、ディスプレイ装置１００の上部非表示領域にデータパッド部３００をローラー６００の長さ方向（Ｘ）に配列することが好ましい。また、ディスプレイ装置１００の幅方向（Ｙ）の側部非表示領域にゲート駆動部２００を設ける場合、基板に回路が直接実装されるＧＩＰ（ｇａｔｅ  ｄｒｉｖｅｒ  ｉｎ  ｐａｎｅｌ）方式でゲート駆動部２００を形成することが好ましい。
【００７２】
このように、本出願に基づくディスプレイ装置１００は、ローラブルディスプレイシステムを構成することができ、ローラブルディスプレイシステムにおいてディスプレイ装置は、ロールイン（Ｒｏｌｌ−ｉｎ）またはロールアウト（Ｒｏｌｌ−ｏｕｔ）する反復動作を行なう必要があるので、サイドに別途の保護ケースを設けることが難しく、側面の保護が脆弱であり得る。ただし、本出願によるディスプレイ装置１００は、ベース基板１１０の段差部（ＤＰ）を覆うバッファ層１２０とバッファ層１２０の側面を覆うカバー膜１６０を設けて側面の剛性特性を増加させ、サイド透湿によるクラック発生などの不良発生を減少させることができるので、ローラブルディスプレイシステムにおいて発生する可能性のある不良などの問題を防止することができる。
【００７３】
以上で説明した本出願は、前述した実施例及び添付した図に限定されるものではなく、本出願の技術的事項を逸脱しない範囲内で、複数の置換、変形及び変更が可能であることが、本出願が属する技術分野で通常の知識を有する者にとって明らかであろう。したがって、本出願の範囲は、後述する特許請求の範囲によって示され、特許請求の範囲の意味及び範囲そしてその等価概念から導出されるすべての変更または変形された形態が本出願の範囲に含まれるものと解釈されなければならない。
【図１】
2019105839.tif 000003
【図２】
2019105839.tif 000004
【図３】
2019105839.tif 000005
【図４】
2019105839.tif 000006